(57)【要約】      （修正有）【課題】簡単に任意の時期に任意の物に用いることで、その物にほふく害虫が這い上がって侵入することを防止できるほふく害虫侵入防止製剤とする。【解決手段】タルク、溌水性シリカゲル、タルクと溌水性シリカゲルの混合物などのほふく害虫を滑り落とす性質を有する粉体を、アルコールなどの速やかに蒸散する液体に分散させた製剤で、ほふく害虫が這い上がる部分に塗布することで、その部分をほふく害虫が這い上がることができないようにできる。【選択図】なし【特許請求の範囲】
【請求項１】
ほふく害虫を滑り落とす性質を持つ粉体を、速やかに蒸散する液体に分散させたことを特徴とするほそく害虫侵入防止製剤。
【請求項２】
前記粉体が、耐候性に優れている請求項１記載のほふく害虫侵入防止製剤。
【請求項３】
前記粉体が、溌水性シリカゲルである請求項１記載のほふく害虫侵入防止製剤。
【請求項４】
前記粉体が、溌水性シリカゲルとタルクの混合物である請求項１記載のほふく害虫侵入防止製剤。
【請求項５】
前記液体が、アルコールである請求項１〜４いずれか一項記載のほふく害虫侵入防止製剤。
【発明の詳細な説明】
【０００１】
【発明の属する技術分野】
本発明は、アリ、ダンゴムシ、ムカデ等の屋外の地面を這うほふく害虫が家屋、立木、草花、植木鉢などに這い上ることを防止するほふく害虫侵入防止製剤に関する。
【０００２】
【従来の技術】
季節によって、アリ、ダンゴムシ、ムカデ等の地面を這うほふく害虫が、地面から土台を伝わって家屋に這い上がって室内に侵入することがあり、生活者を悩ませている。
特に、アリは春から秋にかけて長い期間発生し、時に多数繁殖して多くの個体が家屋に這い上がることから、対策が望まれてきた。
また、庭の立木、草花、植木鉢などにもほふく害虫が這い上がり、それらの成長を阻害することがある。
【０００３】
前述のことから、ほふく害虫を死亡させる製剤が特許文献１〜特許文献３に種々提案されている。
また、特許文献４，５に建物の防虫構造が提案されている。
【０００４】
【特許文献１】
特開平４−１２０００３号公報
【特許文献２】
特開昭６４−２号公報
【特許文献３】
特開平６−２３７１１号公報
【特許文献４】
特開２００１−１１９６２号公報
【特許文献５】
特開２００１−１１９６３号公報
【０００５】
【発明が解決しようとする課題】
前述の特許文献１〜３に開示された製剤は、ほふく害虫を死亡させることを目的とするものであり、人体、動物、昆虫に悪い影響を及ぼす恐れがある。
【０００６】
前述の特許文献４，５に開示されたものは、建物の床下に無機物粒子を敷き詰めて害虫が侵入できないバリア層とするものであるから、人体、動物、昆虫に悪い影響を及ぼすことがないが、その反面、作業が大変大掛りで、建物の建造時に行なうのであれば良いが、建造後には実施し難い。しかも、庭の立木、草花、植木鉢に対する処理としては適用できない。
【０００７】
本発明は、前述の課題に鑑みなされたものであって、その目的は、人体、動物、昆虫に悪い影響を及ぼすことがないこと、任意の時期に、任意の物に簡単に利用できることを満足したほふく害虫侵入防止製剤を提供することである。
【０００８】
【課題を解決するための手段・作用】
本発明者等は、前述の課題に鑑み鋭意、研究、実験した結果、ほふく害虫が地面から這い上がることで侵入するのであるから、その地面からほふく害虫が這い上がる部分をほふく害虫が這い上がることができないようにすれば良いことを見出した。
前述の地面からほふく害虫が這い上がる部分とは、家屋の場合は土台、敷居などであり、立木、草花の場合は地面から突出した下方部分で、植木鉢の場合は地面に接して下方部分である。
【０００９】
本発明者等は、前述のほふく害虫が這い上がることができないようにすることを種々実験した。
例えば、這い上がる部分に庇状部材を設けたり、這い上がる部分自体の形状を変えたりしたが、これらはコスト的に高いものになるし、家屋、立木、草花、植木鉢などで共用できずに汎用性が悪い。
これらのことに鑑み、さらに実験した結果、這い上がる部分を滑り易くすれば、ほふく害虫が這い上がることができないから侵入できないということを見出し本発明に到った。
【００１０】
本発明は、ほふく害虫を滑り落とす性質を持つ粉体を、速やかに蒸散する液体に分散させたことを特徴とするほふく害虫侵入防止製剤である。
【００１１】
この害虫侵入防止製剤であれば、ほふく害虫が地面から這い上がる部分に塗布することで、その粉体が付着残留して滑り易くなり、ほふく害虫が這い上がることができないから、ほふく害虫の侵入を防止できる。
しかも、塗布すれば良いから、その作業が簡単で、任意の時期に用いることができるし、土台や立木、草花、植木鉢など任意の物に用いることができる。
さらに、粉体は、ほふく害虫を滑り落とす性質を持っていれば良く、死亡させる薬効を持たないから、人体、動物、昆虫などに悪い影響を及ぼすことがない。
【００１２】
前記粉体は耐候性に優れていることが好ましい。
前記粉体は、溌水性シリカゲルが好ましく、溌水性シリカゲルとタルクの混合物が最も好ましい。
前記液体はアルコールが好ましい。
前記製剤は、エアゾール缶やハンドスプレー缶に充填して利用することが好ましい。
【００１３】
【発明の実施の形態】
（実施例１）
ほふく害虫を滑り落とす性質を持つ粉体として、タルクを用い、そのタルクの粒子径がほふく害虫の滑落効果に及ぼす影響を試験した。
試験方法は、図１に示すように、被塗布材１の塗布面２に供試粉体（タルク）を十分量塗布し、クランプ３で塗布面２が上を向くように固定した。塗布面２の中心付近に供試虫４を５匹導入し、すべての供試虫４が歩行を始めたのを確認した後、クランプ３を回転させ、塗布面２が地面に対し垂直になるよう固定した。３分間観察し、塗布面２から滑り落ちた供試虫４を計数した。この操作を１０回繰り返した。這い上がり阻止率は（落下個体数）／（供試個体数）として求めた。
供試虫はアミメアリ。
【００１４】
この結果は図２に示すとおりであった。
【００１５】
このことから、タルクはアミメアリに対して滑落効果が認められた。
また、タルクは粒径は小さいほど滑落効果が高いことが判明した。
【００１６】
（実施例２）
各種建材にタルクを直接塗布した場合と、タルクをエタノールに分散させた混合液を塗布した場合とで滑落効果について試験した。
試験方法は、各種建材を任意の大きさとして図１に示すようにクランプ３で把持して前述の実施例１と同様にして試験した。
建材としては、木材、合板、レンガ、コンクリート、発泡スチロールであった。
【００１７】
この結果は図３と図４に示すとおりであった。図３はタルク直接塗布の場合、図４はタルクとエタノールの溶液塗布の場合である。
【００１８】
このことから、タルクとエタノールの溶液を塗布した場合の方が滑落効果が優れていることが判明した。
このことは、タルクをエタノールと混合して塗布すると、均一で肉厚な塗膜を作ることができるためと考えられる。
【００１９】
エタノールに限ることはなく、メタノール、イソプロパノール、アセトンなど塗布した後に速やかに蒸散する液体であれば良い。臭いなどの点からエタノールは特に好ましい。
なお、比較的蒸散しにくい水も、前述の液体と適当な割合で混合することで使用できる。
【００２０】
（実施例３）
タルク塗布面の野外での滑落効果の接続性について試験した。
試験方法は、コンクリート、合板の所定の大きさの試験片にタルクとエタノールの溶液を塗布し、風通しの良い場所と悪い場所に所定期間放置した後に回収し、前述の図１に示すようにクランプ３で把持して前述と同様に試験した。
【００２１】
風通しの良い場所に放置した場合は図５に示す結果であり、風通しの悪い場所に放置した場合は図６に示す結果であった。
このことから、滑落効果の持続性は風通しの悪い場所の方が良く、合板よりもコンクリートが良いことが判明した。
【００２２】
（実施例４）
粉体の耐水性について試験をした。
被塗布材（合板）の一面にタルクを塗布したものと、シリカゲルを塗布したものと、溌水性シリカゲルを塗布したものをそれぞれ作成し、それらを塗布面を下に向けて被塗布剤（タルク、シリカゲル、溌水性シリカゲル）を、十分量水道水をためた容器につけ、浸水処理した。
３時間後静かに取り出し、十分に風乾した後、図１に示すクランプ３で把持して前述と同様に試験した。
比較例として、前述の３つのものを前述のように容器につけない（つまり、浸水処理しない）状態で、図１に示すクランプ３で把持して前述と同様に試験した。
【００２３】
この結果、浸水処理しないものは図７に示す結果で、浸水処理したものは図８に示す結果であった。
このことから、シリカゲル、タルクは耐水性がほとんどないが、溌水性シリカゲルは十分な耐水性を有することが判明した。
【００２４】
（実施例５）
溌水性シリカゲルとタルクの混合率と耐水性の関係を試験した。
試験方法は、溌水性シリカゲルをタルクに、０％、２％、５％、１０％、１５％、２０％混合したものをそれぞれ作製し、それらのものを用いて前述の実施例４と同様な耐水性の試験を行なった。
【００２５】
その結果、浸水処理しないものは図９に示す結果で、浸水処理したものは図１０に示す結果であった。
このことから、溌水性シリカゲルを５％以上、より好ましくは１０％以上タルクに混合することが優れた耐水性を示すことが判明した。
【００２６】
（実施例６）
溌水性シリカゲルとタルクの混合率と耐風性の関係を試験した。
試験方法は、溌水性シリカゲルをタルクに、０％、２５％、５０％、７０％、１００％混合したものをそれぞれ作製し、それらのものを用いて送風処理しない状態と、送風処理した後の状態で図１に示すクランプ３で把持して図１に示すと同様に効力試験をした。
送風処理とは、被塗布面と３０ｃｍ離して家庭用扇風機を置き、６時間風を当てた。
【００２７】
その結果、送風処理しないものは図１１に示す結果で、送風処理したものは図１２に示す結果であった。
このことから、溌水性シリカゲル７０％以下、より好ましくは５０％以下で高い耐風性を示すことが判明した。
【００２８】
前述の実施例５と実施例６をまとめて溌水性シリカゲルとタルクの混合率が耐水性、耐風性（つまり、耐候性）に及ぼす影響を示すと図１３に示すようになる。
このことから、溌水性シリカゲルを５〜７０％混合することが耐候性が高く、特に１０％〜５０％混合することがより耐候性が高いことが判明した。
【００２９】
（実施例７）
本発明に係る粉体の塗布幅と這い上がり阻止の関係を試験した。
試験方法は、図１４に示すように、ガラスシャーレ１０内にディートを塗布（１ｇ／ｍ２）したろ紙１１を敷き、内側にタルクを塗布したガラスリング１２を置いた。ガラスシャーレ１０の中心に所定幅のタルク１３を塗布した木材１４（径５ｃｍ×高１０ｃｍ）を置き、その上面にショ糖飽和溶液を染み込ませたガーゼ１５を置いた。ガラスシャーレ１０内に供試虫１６を３０匹導入し、１０分後、２０分後、３０分後及び４０分後の上面にてガーゼ１５から染み出したショ糖飽和溶液を吸っている個体数を計数した。這い上がり阻止率は以下の式で求めた。
2004321023.tif 000002
【００３０】
その結果は、図１５に示すとおりであった。
このことから、タルクの塗布幅は１ｃｍ程度で高い効果が得られた。さらに３ｃｍ以上でより高い効果が得られた。
なお、塗布幅とは図１４において上下方向の寸法である。
【００３１】
本発明の製剤は、容器に入れて保管し、使用時にはけなどを用いて塗布することができる。
また、エアゾール缶に充填したり、ハンドスプレーに充填しても良い。
【００３２】
【発明の効果】
本発明の製剤であれば、ほふく害虫が地面から這い上がる部分、例えば建屋の土台、立木、草花の下方部分や植木鉢の下方部分に塗布することで、その粉体が付着残留して滑り易くなるから、ほふく害虫が這い上がることができず、ほふく害虫の侵入を防止できる。
また、ほふく害虫が侵入しないようにする作業が簡単で、任意の時期に任意の物に用いることができる。
しかも、粉体は、ほふく害虫を死亡させるものではないから、人体、動物、昆虫などに悪い影響を及ぼすことがない。特に、立木、草花に直接塗布してもそれらの成長の阻害することがない。
【図面の簡単な説明】
【図１】滑落効果の試験方法の説明用斜視図である。
【図２】タルクの粒子径と滑落効果の関係の試験結果を示す図表である。
【図３】タルク単体塗布による滑落試験結果を示す図表である。
【図４】タルクとアルコールの混合溶液塗布による滑落試験結果を示す図表である。
【図５】風通しの良い場所に放置した場合の滑落試験結果を示す図表である。
【図６】風通しの悪い場所に放置した場合の滑落試験結果を示す図表である。
【図７】浸水処理しない場合の滑落試験結果を示す図表である。
【図８】浸水処理した場合の滑落試験結果を示す図表である。
【図９】浸水処理しないで、溌水性シリカゲルとタルクの混合率を変えた場合の滑落試験結果を示す図表である。
【図１０】浸水処理して溌水性シリカゲルとタルクの混合率を変えた場合の滑落試験結果を示す図表である。
【図１１】送風処理しないで、溌水性シリカゲルとタルクの混合率を変えた場合の滑落試験結果を示す図表である。
【図１２】送風処理して、溌水性シリカゲルとタルクの混合率を変えた場合の滑落試験結果を示す図表である。
【図１３】溌水性シリカゲルとタルクの混合比が耐候性に及ぼす影響を示す図表である。
【図１４】粉体の有効塗布幅を試験する装置の斜視図である。
【図１５】タルクの塗布幅と滑落結果を示す図表である。
【図１】
2004321023.tif 000003
【図２】
2004321023.tif 000004
【図３】
2004321023.tif 000005
【図４】
2004321023.tif 000006
【図５】
2004321023.tif 000007
【図６】
2004321023.tif 000008
【図７】
2004321023.tif 000009
【図８】
2004321023.tif 000010
【図９】
2004321023.tif 000011
【図１０】
2004321023.tif 000012
【図１１】
2004321023.tif 000013
【図１２】
2004321023.tif 000014
【図１３】
2004321023.tif 000015
【図１４】
2004321023.tif 000016
【図１５】
2004321023.tif 000017